(57)【要約】【課題】楽曲の特徴量の修正を可能し、他の特徴量管理データベースなどを用いて楽曲を検索することで、利用者の好みにあった楽曲を検索することを可能にする手段を提供する。【解決手段】特徴量と楽曲の書誌情報を管理する特徴量・書誌情報データベース内の情報を利用者の感性にあわせた変更を可能にする手段と楽曲の特徴量を記録媒体（各メディア）へ書き込み、その情報を利用して別の特徴量・書誌情報データベースから楽曲の検索する手段をもつことで、利用者の好みにあった楽曲の検索が可能になる。【選択図】図１
2007188131.tif 000002
【特許請求の範囲】
【請求項１】
楽曲の音響信号を入力する音響信号入力手段と、音響信号から特徴量を抽出しデータベースに登録する特徴量抽出・登録手段と、特徴量と楽曲の書誌情報（アーティスト名、曲名、作詞者、作曲者、編曲者、ジャンル名などを含む）を管理する特徴量・書誌情報データベースと、前記特徴量・書誌情報データベースの特徴量を変更する特徴量変更手段と、前記特徴量・書誌情報データベースから特徴量を検索する特徴量検索手段と、楽曲と楽曲の特徴量を記録媒体へ書き込む楽曲・特徴量書き込み手段とを有することを特徴とする楽曲検索装置。
【請求項２】
楽曲の特徴量と書誌情報（アーティスト名、曲名、作詞者、作曲者、編曲者、ジャンル名などを含む）を管理する特徴量・書誌情報データベースと、特徴量・書誌情報データベースおよび記録媒体から特徴量を検索する特徴量検索手段と、楽曲と楽曲の特徴量を記録媒体へ書き込む楽曲・特徴量書き込み手段とを有することを特徴とする楽曲検索装置。
【請求項３】
楽曲の音響信号を入力する音響信号入力ステップと、音響信号から特徴量を抽出しデータベースに登録する特徴量抽出・登録ステップと、特徴量と楽曲の書誌情報（アーティスト名、曲名、作詞者、作曲者、編曲者、ジャンル名などを含む）を管理する特徴量・書誌情報データベースの特徴量を変更する特徴量変更ステップと、特徴量・書誌情報データベースから特徴量を検索する特徴量検索ステップと、楽曲と楽曲の特徴量を記録媒体へ書き込む楽曲・特徴量書き込みステップとを有することを特徴とする楽曲検索方法。
【請求項４】
楽曲の特徴量と書誌情報（アーティスト名、曲名、作詞者、作曲者、編曲者、ジャンル名などを含む）を管理する特徴量・書誌情報データベースおよび記録媒体から特徴量を検索する特徴量検索ステップと、楽曲と楽曲の特徴量を記録媒体へ書き込む楽曲・特徴量書き込みステップとを有することを特徴とする楽曲検索方法。
【請求項５】
請求項３または請求項４に記載の楽曲検索方法を、コンピュータに実行させるためのプログラム。
【請求項６】
請求項５に記載のプログラムを記録した媒体。
【発明の詳細な説明】
【技術分野】
【０００１】
本発明は、楽曲の特徴量の修正を可能にし、特徴量を記録媒体（メディア）に書き込むことで、他の特徴量管理データベースなどを用いて楽曲を検索することを可能にした、利用者の好みにあった楽曲を検索する楽曲検索装置、及び楽曲検索方法及びその動作をコンピュータ上で実現する楽曲検索システム用プログラム、及び前記プログラムを記録したコンピュータ読み取り可能な記録媒体に関する。
【背景技術】
【０００２】
従来の技術では、楽曲の特徴量や書誌情報を格納したデータベースから、対象となる楽曲と比較して楽曲を選択するため、利用者の感性とデータベースの特徴量があっていない場合やデータベース内の楽曲数が少ない場合、利用者の好みにあっていない楽曲が検索される場合が発生する。
【０００３】
なお、これに関連する先行技術として以下のものがある（例えば、特許文献１参照。）。
【特許文献１】特開２００２−２７８５４７号公報
【発明の開示】
【発明が解決しようとする課題】
【０００４】
本発明は、楽曲の特徴量を利用者の感性にあったものに修正し、他の特徴量管理データベースなどを用いて楽曲を検索することで、利用者の好みにあった楽曲を検索することを可能にする手段を提供することを目的としてなされたものである。
【課題を解決するための手段】
【０００５】
上記目的を達成するために、本発明の請求項１記載の楽曲検索装置は、楽曲の音響信号を入力する音響信号入力手段と、音響信号から特徴量を抽出しデータベースに登録する特徴量抽出登録手段と、特徴量と楽曲の書誌情報（アーティスト名、曲名、作詞者、作曲者、編曲者、ジャンル名などを含む）を管理する特徴量・書誌情報データベースと、特徴量・書誌情報データベースの特徴量を変更する特徴量変更手段と、特徴量・書誌情報データベースから特徴量を検索する特徴量検索手段と、楽曲と楽曲の特徴量を記録媒体（各メディア）へ書き込む楽曲・特徴量書き込み手段とを有することを特徴とする。
【０００６】
本発明の請求項２記載の楽曲検索装置は、特徴量と楽曲の書誌情報（アーティスト名、曲名、作詞者、作曲者、編曲者、ジャンル名などを含む）を管理する特徴量・書誌情報データベースと、特徴量・書誌情報データベースおよび記録媒体（各メディア）から特徴量を検索する特徴量検索手段と、楽曲と楽曲の特徴量を記録媒体（各メディア）へ書き込む楽曲・特徴量書き込み手段とを有することを特徴とする。
【０００７】
本発明の請求項３に記載の楽曲検索方法は、楽曲の音響信号を入力する音響信号入力ステップと、音響信号から特徴量を抽出しデータベースに登録する特徴量抽出登録ステップと、特徴量と楽曲の書誌情報（アーティスト名、曲名、作詞者、作曲者、編曲者、ジャンル名などを含む）を管理する特徴量・書誌情報データベースと、特徴量・書誌情報データベースの特徴量を変更する特徴量変更ステップと、特徴量・書誌情報データベースから特徴量を検索する特徴量検索ステップと、楽曲と楽曲の特徴量を記録媒体（各メディア）へ書き込む楽曲・特徴量書き込みステップとを有することを特徴とする。
【０００８】
本発明の請求項４記載の楽曲検索方法は、特徴量と楽曲の書誌情報（アーティスト名、曲名、作詞者、作曲者、編曲者、ジャンル名などを含む）を管理する特徴量・書誌情報データベースと、特徴量・書誌情報データベースおよび記録媒体（各メディア）から特徴量を検索する特徴量検索ステップと、楽曲と楽曲の特徴量を記録媒体（各メディア）へ書き込む楽曲・特徴量書き込みステップとを有することを特徴とする。
【０００９】
請求項５記載の発明は、請求項３に記載の楽曲検索方法を、コンピュータに実行させるためのプログラム、及びそのプログラムを記録したコンピュータ読み取り可能な記録媒体である。
【００１０】
請求項６記載の発明は、請求項４に記載の楽曲検索方法を、コンピュータに実行させるためのプログラム、及びそのプログラムを記録したコンピュータ読み取り可能な記録媒体である。
【発明の効果】
【００１１】
本発明により、特徴量と楽曲の書誌情報を管理する特徴量・書誌情報データベース内の情報を利用者の感性にあわせて変更できることで、利用者の感性との不一致を削減し、より利用者の好みにあった楽曲の検索が可能になる。
【００１２】
また、楽曲の特徴量を記録媒体（各メディア）へ書き込み、その情報を利用して、別の特徴量・書誌情報データベースから楽曲の検索が可能になり、利用者が保持しているデータベース内の楽曲数が少ない場合などの検索対象を広げることを可能にする。
【発明を実施するための最良の形態】
【００１３】
（実施の形態１）
以下、本発明の実施の形態１について、図面を参照しながら説明する。図１は本発明の実施の形態１における楽曲検索装置の全体構成を示すブロック図である。図１において、１１は音響信号入力手段、１２は特徴量抽出・登録手段、１３は特徴量変更手段、１４は特徴量検索手段、１５は楽曲・特徴量書込み手段、１６は特徴量・書誌情報データベース、１７は記録媒体（メディア）を表している。
【００１４】
以上のように構成された楽曲検索装置について、以下、その動作について図１を用いて説明する。本装置は、最初に音響信号入力手段１１で楽曲の音響信号を入力する。次に、特徴量抽出・登録手段１２で入力された楽曲の音響信号から特徴量を抽出し、特徴量・書誌情報データベース１６に登録する。次に、利用者の感性に特徴量があっていない場合など、必要に応じて特徴量変更手段１３で特徴量・書誌情報データベース１６の特徴量を変更する。次に、特徴量検索手段１４で特徴量・書誌情報データベース１６から特徴量を検索する。次に、楽曲・特徴量書込み手段１５で楽曲および楽曲の特徴量を記録媒体（メディア）１７に書き込む。
【００１５】
特徴量抽出・登録手段１２で使用する特徴量の算出方法の詳細は、特願２００１−０８２１５０に記載されている。なお、対象となる楽曲から特徴量を抽出するにあたり、特徴量の抽出範囲は、楽曲の全体、楽曲の一部分及び、楽曲の複数の部分に対し、任意の組み合わせからなる領域から抽出して良い。
【００１６】
（実施の形態２）
以下、本発明の実施の形態２について、図面を参照しながら説明する。図２は本発明の実施の形態２における楽曲検索装置の全体構成を示すブロック図である。図２において、２１は特徴量検索手段、２２は楽曲・特徴量書込み手段、２３は特徴量・書誌情報データベース、２４は記録媒体（メディア）を表している。
【００１７】
以上のように構成された楽曲検索装置について、以下、その動作について図２を用いて説明する。本装置は、最初に特徴量検索手段２１で記録媒体（メディア）２４から特徴量を検索する。次に、特徴量検索手段２１により、前記で検索した特徴量に近い特徴量の楽曲および特徴量を特徴量・書誌情報データベース２３から検索する。次に、楽曲・特徴量書込み手段２２により、前記で検索した楽曲および特徴量を記録媒体（メディア）２４に書き込む。
【００１８】
（実施の形態３）
以下、本発明の実施の形態３について、図３を参照しながら説明する。図３は本発明の実施の形態３における楽曲検索方法の処理フローを示す図である。図３において、３１は音響信号入力ステップ、３２は特徴量抽出・登録ステップ、３３は特徴量変更ステップ、３４は特徴量検索ステップ、３５は楽曲・特徴量書込みステップ、３６は特徴量・書誌情報データベース、３７は記録媒体（メディア）を表している。
【００１９】
最初に、音響信号入力ステップ３１で楽曲の音響信号を読み込む。次に、特徴量抽出・登録ステップ３２で、音響信号入力ステップ３１で読み込んだ音響信号から特徴量を抽出し、特徴量・書誌情報データベース３６に登録する。次に、利用者の感性に特徴量があっていない場合など、必要に応じて特徴量変更ステップ３３で特徴量・書誌情報データベース３６の特徴量を変更する。次に、特徴量検索ステップ３４で特徴量・書誌情報データベース３６から特徴量を検索する。次に、楽曲・特徴量書込みステップ３５で楽曲および楽曲の特徴量を記録媒体（メディア）３７に書き込む。
【００２０】
特徴量抽出・登録ステップ３２で使用する特徴量の算出方法の詳細は、特願２００１−０８２１５０に記載されている。なお、対象となる楽曲から特徴量を抽出するにあたり、特徴量の抽出範囲は、楽曲の全体、楽曲の一部分及び、楽曲の複数の部分に対し、任意の組み合わせからなる領域から抽出して良い。
【００２１】
（実施の形態４）
以下、本発明の実施の形態４について、図４を参照しながら説明する。図４は本発明の実施の形態４における楽曲検索方法の処理フローを示す図である。図４において、４１は特徴量検索ステップ、４２は楽曲・特徴量書込みステップ、４３は特徴量・書誌情報データベース、４４は記録媒体（メディア）を表している。
【００２２】
最初に特徴量検索ステップ４１で記録媒体（メディア）４４から特徴量を検索する。次に、特徴量検索ステップ４１で、前記で検索した特徴量に近い特徴量の楽曲および特徴量を特徴量・書誌情報データベース４３から検索する。次に、楽曲・特徴量書込みステップ４２で、前記で検索した楽曲および特徴量を記録媒体（メディア）４４に書き込む。
【産業上の利用可能性】
【００２３】
本発明は、楽曲の特徴量や書誌情報を格納したデータベース内の情報を利用者の感性にあわせて変更でき、楽曲の特徴量や書誌情報を別の記録媒体に書込むことで、その情報を利用して、別のデータベースから楽曲の検索ができることによって、楽曲データや映像データを再生、書き込みなどを行う装置などにも適用できる。
【図面の簡単な説明】
【００２４】
【図１】本発明の実施の形態１による楽曲検索装置の概略構成を表すブロック図
【図２】本発明の実施の形態２による楽曲検索装置の概略構成を表すブロック図
【図３】本発明の実施の形態３における楽曲検索方法の処理フローを示す図
【図４】本発明の実施の形態４における楽曲検索方法の処理フローを示す図
【符号の説明】
【００２５】
１１    音響信号入力手段
１２    特徴量抽出・登録手段
１３    特徴量変更手段
１４    特徴量検索手段
１５    楽曲・特徴量書込み手段
１６    特徴量・書誌情報データベース
１７    記録媒体
２１    特徴量検索手段
２２    楽曲・特徴量書込み手段
２３    特徴量・書誌情報データベース
２４    記録媒体
３１    音響信号入力ステップ
３２    特徴量抽出・登録ステップ
３３    特徴量変更ステップ
３４    特徴量検索ステップ
３５    楽曲・特徴量書込みステップ
３６    特徴量・書誌情報データベース
３７    記録媒体
４１    特徴量検索ステップ
４２    楽曲・特徴量書込みステップ
４３    特徴量・書誌情報データベース
４４    記録媒体
【図１】
2007188131.tif 000003
【図２】
2007188131.tif 000004
【図３】
2007188131.tif 000005
【図４】
2007188131.tif 000006